(57)【要約】【課題】消火器容器の下端部に錆が発生するのを防止しつつ、消火器の設置や移動に際し床面が傷つくことがないようにするとともに、消火器の設置を簡単にする。【解決手段】筒状胴部１１内の下部に底板１０が設けられ、筒状胴部１１の下端が底板１０から下方に伸びる下端筒状壁１２となる消火器容器３の下端筒状壁１２に取付ける防錆リング２であり、この防錆リング２が、防錆性を有する弾性材料を用い、その断面形状が下端筒状壁１２に嵌まる凹形となり、下端筒状壁１２の全周にわたって外嵌する環状体に形成される。【選択図】図２
0003155494.tif 000002
【実用新案登録請求の範囲】
【請求項１】
筒状胴部（１１）内の下部に底板（１０）が設けられ、前記筒状胴部（１１）の下端が底板（１０）から下方に伸びる下端筒状壁（１２）となる消火器容器（３）の前記下端筒状壁（１２）に取付ける防錆リング（２）であり、
この防錆リング（２）が、防錆性を有する弾性材料を用い、その断面形状が下端筒状壁（１２）に嵌まる凹形となり、前記下端筒状壁（１２）の全周にわたって外嵌する環状体に形成されている消火器用防錆リング。
【請求項２】
請求項１に記載の消火器用防錆リング（２）を、消火器容器（３）の下端筒状壁（１２）に嵌め込んで固定した防錆機能付消火器。
【考案の詳細な説明】
【技術分野】
【０００１】
この考案は、消火器容器の下端部に装着される消火器用防錆リング及び、この防錆リングを装着した防錆機能付消火器に関する。
【背景技術】
【０００２】
消火器は、例えば、平面視四角形の受台の中央に消火器容器の下端部の形状に対応する円筒状の載置面が形成された消火器設置台に置かれるか、箱型の消火器収納ケースに収納された状態で設置することが行なわれている（例えば、特許文献１、特許文献２）。
【０００３】
しかし、上記消火器設置台や消火器収納ケースは、消火器が倒れないよう剛性の高い樹脂または金属で形成されているため、消火器の設置や移動に際し床面に置くときの衝撃が大きかったり、角で床面を引掻いたりしてしまうと、床面を傷つけてしまう可能性があった。また、消火器の設置や移動の際には、消火器と消火器設置台の両方を移動させなければならないので、その作業が面倒である。
【０００４】
そこで、消火器を消火器設置台や消火器収納ケースに設置した場合の問題点を解決するため、消火器を直接床面に設置することが考えられるが、消火器を床面に置くときの衝撃で消火器容器の下端部の塗装が剥がれたり、雨や清掃時などに消火器容器の下端部に水分が付着したりして、消火器容器の下端部に錆が発生しやすくなる。錆が発生すると、消火器容器の表面に凹凸が出来て反応面積が増大するため、一旦発生した錆は加速度的に進行してしまい、消火器容器の破裂の原因になりかねない。
【先行技術文献】
【特許文献】
【０００５】
【特許文献１】特開２００５−０４０３４６号公報
【特許文献２】特開平０８−１１７３５４号公報
【考案の概要】
【考案が解決しようとする課題】
【０００６】
この考案が解決しようとする課題は、消火器容器の下端部に錆が発生するのを防止しつつ、消火器の設置や移動に際し床面が傷つくことがないようにするとともに、消火器の設置を簡単にすることである。
【課題を解決するための手段】
【０００７】
上記課題を解決するために、この考案は、筒状胴部内の下部に底板が設けられ、前記筒状胴部の下端が前記底板から下方に伸びる下端筒状壁となる消火器容器の前記下端筒状壁に取付ける防錆リングであり、この防錆リングが、防錆性を有する弾性材料を用い、その断面形状が下端筒状壁に嵌まる凹形となり、前記下端筒状壁の全周にわたって外嵌する環状体に形成されている消火器用防錆リングを提供するものである。
【０００８】
このようにすると、消火器用防錆リングを消火器容器の前記下端筒状壁に嵌め込んで固定すれば、下端筒状壁が消火器用防錆リングで覆われるので、消火器を床面に置くときの衝撃で消火器容器の下端筒状壁の塗装が剥がれることがなく、しかも雨や清掃時などに消火器容器の下端筒状壁に水分が付着しない。そのため、消火器を直接床面に設置しても、消火器容器の下端部に錆が発生しない。
【０００９】
また、消火器用防錆リングが弾性材料からなるので、消火器を床面に置くときの衝撃が消火器用防錆リングで緩和され、床面を傷つけることがない。
【００１０】
また、消火器を直接床面に設置しても、消火器容器の下端部に錆が発生しないので、従来のように、消火器を消火器設置台に置いたり消火器収納ケースに収納したりする必要がない。そのため、消火器の設置作業や移動作業を簡単にすることができる。
【００１１】
また、上記課題を解決するために、この考案は、前記消火器用防錆リングを消火器容器の下端筒状壁に嵌め込んで固定した防錆機能付消火器を提供する。
【考案の効果】
【００１２】
この考案によれば、防錆性を有する弾性材料からなる消火器用防錆リングを消火器容器の下端筒状壁に嵌め込んで固定すれば、消火器を直接床面に設置しても、消火器容器の下端部に錆が発生せず、しかも消火器を床面に置くときの衝撃で床面を傷つけることがない。また、従来のように、消火器設置台や消火器収納ケースに消火器を設置する必要がないので、消火器の設置作業や移動作業を簡単にすることができる。
【図面の簡単な説明】
【００１３】
【図１】この考案の実施形態の防錆機能付消火器を示す側面図
【図２】図１の消火器容器の下端筒状壁近傍の拡大断面図
【考案を実施するための形態】
【００１４】
以下、この考案の実施形態の防錆機能付消火器を図面を参照しながら説明する。図１に示すように、防錆機能付消火器１は、従来の加圧式消火器の下端部に消火器用防錆リング２を取付けたものである。
【００１５】
防錆機能付消火器１は、粉末消火薬剤が充填された金属製の円筒形状の消火器容器３と、消火器容器３の開口部４に取り付けられたバルブ５と、バルブ５に接続された消火器ホース６と、消火器ホース６の先端に装着されたノズル７と、バルブ５に取り付けられてその開閉操作をするためのレバー８と、レバー８に備えた安全栓９とを有する。
【００１６】
消火器容器３は、図２に示すように、その筒状胴部１１内の下部に設けられた底板１０が下方に膨出する球面状に形成され、筒状胴部１１の下端が底板１０から下方に伸びる下端筒状壁１２となっており、表面全体が赤色塗装されている。
【００１７】
消火器用防錆リング２は、防錆性を有する弾性材料を用いて形成されている。この防錆リング２は、その断面形状が消火器容器３の下端筒状壁１２に嵌まる凹形となり、下端筒状壁１２の全周にわたって外嵌する環状体に形成され、下端筒状壁１２に下方から嵌め込むことにより固定されている。防錆リング２と消火器容器３の下端筒状壁１２との嵌合面間には、防錆リング２が外れないよう接着剤を介在させてもよい。
【００１８】
防錆性を有する弾性材料としては、低密度ポリエチレン（ＬＤＰＥ）や軟質ポリ塩化ビニル（ＰＶＣ）などの柔軟性樹脂や、エラストマー、例えば、天然ゴム（ＮＲ）やブタジエンゴム（ＢＲ）などの加硫ゴムや、熱可塑性エラストマーを挙げることができる。
【００１９】
防錆機能付消火器１は、消火器容器３の下端筒状壁１２が防錆リング２で覆われているので、床面に置くときの衝撃で消火器容器３の下端筒状壁１２の塗装が剥がれることがなく、しかも雨や清掃時などに消火器容器３の下端筒状壁１２に水分が付着しない。そのため、図１、図２に示すように、防錆機能付消火器１を直接床面１３に設置しても、消火器容器３の下端部に錆が発生しない。
【００２０】
また、防錆機能付消火器１は、消火器容器３の下端筒状壁１２に嵌め込んで固定された防錆リング２が弾性材料からなるので、床面１３に置くときの衝撃が防錆リング２で緩和され、床面１３を傷つけることがない。
【００２１】
また、防錆機能付消火器１は、直接床面１３に設置しても、消火器容器３の下端部に錆が発生しないので、従来のように消火器設置台に置いたり消火器収納ケースに収納したりする必要がない。そのため、設置作業や移動作業を簡単にすることができる。
【００２２】
また、防錆機能付消火器１は、消火器容器３の下端筒状壁１２に嵌め込んで固定された防錆リング２を、消火器容器３の赤色と相性の良い色、例えば黒やシルバーとすることで美しい色合いにすることができる。そのため、例えば高級インテリジェントビルに設置しても、その場の雰囲気を壊す事が無く、より一層引立てることも可能である。
【符号の説明】
【００２３】
１      防錆機能付消火器
２      消火器用防錆リング
３      消火器容器
１０    底板
１１    筒状胴部
１２    下端筒状壁
【図１】
0003155494.tif 000003
【図２】
0003155494.tif 000004